(57)【要約】【課題】ＰＯＳ端末の操作前の責任者登録を不要としかつ操作責任者を正確に管理することのできる商品販売データ処理装置を提供する。【解決手段】指紋を検出する指紋読取センサ２０と、登録された責任者の指紋データを記憶する責任者テーブル４０と、前記指紋読取センサ２０で検出された指紋データが前記責任者テーブル４０にあるか否かを検索するデータ判断手段と、この判断手段で前記指紋読取センサで検出された指紋データが記憶されていると判断されると、ドロワ１９を開放させるドロワ開放手段とを備えたことを特徴とする商品データ処理装置としたもの。【選択図】          図４
2004310452.tif 000002
【特許請求の範囲】
【請求項１】
指紋を検出する指紋読取センサと、
登録された責任者の指紋データを記憶する責任者テーブルと、
前記指紋読取センサで検出された指紋データが前記責任者テーブルにあるか否かを検索するデータ判断手段と、
この判断手段で前記指紋読取センサで検出された指紋データが記憶されていると判断されると、ドロワを開放させるドロワ開放手段と
を備えたことを特徴とする商品データ処理装置。
【請求項２】
商品登録を行うＰＯＳ端末とこのＰＯＳ端末を管理する制御装置とから構成され、
前記制御装置には、前記責任者テーブルを備え、
前記ＰＯＳ端末には、第２の責任者テーブルと、前記指紋読取センサで検出された指紋データが第２の責任者テーブルに存在するか否かを判断し存在しない場合に前記制御装置にこの指紋データが登録されているかを問合せる問合せ手段を備えたことを特徴とする請求項１記載の商品販売データ処理装置。
【請求項３】
商品登録を行うＰＯＳ端末とこのＰＯＳ端末を管理する制御装置とから構成され、
前記制御装置には、前記責任者テーブルを備え、
前記ＰＯＳ端末には、第２の責任者テーブルと、前記指紋読取センサで検出された指紋データがデータ判断手段により第２の責任者テーブルに存在しないと判断した場合に制御装置の責任者テーブルから該当する指紋データを第２の責任者テーブルに受信する責任者データ受信手段と、前記ドロワ開放手段とを備え、
このドロワ開放手段は前記指紋読取センサで検出された指紋データがデータ判断手段により第２の責任者テーブルに存在すると判断した場合にドロワを開放させることを特徴とする請求項１記載の商品販売データ処理装置。
【請求項４】
前記指紋読取センサをドロワを開放可能とするキーに設けたことを特徴とする請求項１乃至３記載の商品販売データ処理装置。
【請求項５】
入力された商品情報を制御装置に送信するＰＯＳ端末において、
指紋を検出する指紋読取センサと、
前記指紋読取手段で検出された指紋データが前記制御装置に登録されているか否かを問合わせる問合せ手段と、
この問合せ手段により検出された指紋データが登録されているとされた際に、ドロワを開放させるドロワ開放手段とを備えたことを特徴とするＰＯＳ端末。
【請求項６】
ＰＯＳ端末から送信された商品登録情報を集計し管理する制御装置において、
登録された責任者の指紋データを記憶する責任者テーブルと、
前記ＰＯＳ端末が有する指紋読取センサにより検出された指紋データが前記責任者テーブルにあるか否かを判断するデータ判断手段と、
このデータ検出手段の結果を前記ＰＯＳ端末に返信する返信手段とを備えたことを特徴とする制御装置。
【発明の詳細な説明】
【０００１】
【発明の属する技術分野】
本発明は、金銭を収納するドロワ装置を備える商品登録を行うＰＯＳ端末、このＰＯＳ端末を管理する制御装置、及びこれらのＰＯＳ端末と制御装置とから構成された商品販売データ処理装置に関する。
【０００２】
【従来の技術】
従来から、ドロワ装置とＰＯＳ端末とが一体化された商品販売データ処理装置が知られている。
通常、ＰＯＳ端末を操作するにあたっては、ＰＯＳ端末の不正操作を防止するためや操作者毎の売上管理を行うために、各操作者に割付られている番号をＰＯＳ端末の置数キーで入力し責任者登録キーを押下することにより、責任者登録を行い、ＰＯＳ端末の操作が可能となる。そして、責任者が登録されていれば、預／現計キーや替キー等の押下によってドロワの開放ができるようになっている。また、操作者を交代するときは、責任者解除キーを押下することにより責任者登録が解除され、新たな操作者の責任者の登録操作が可能となる。
また、操作者毎にＰＯＳ端末の操作に制限を加えることにより不正操作を防止するものもある。
【特許文献１】
特開平０７−２２０１７１号公報
【０００３】
【発明が解決しようとする課題】
ところで、ＰＯＳ端末を操作可能とするには、ＰＯＳ端末での操作前に責任者登録をし、該ＰＯＳ端末を操作する責任者を確定しなければならず、特にチェックレーンが混みあっている時は、ＰＯＳ端末を稼働させるための数十秒の時間が顧客に対して不快感を与えてしまうことがある。また、責任者毎の売上管理を行っているため１台のＰＯＳ端末を複数の責任者が使用している場合、既に責任者登録されているＰＯＳ端末では該責任者の責任者登録を解除するまで別の責任者が登録できないため顧客を待たせることになりサービスの低下につながる。
【０００４】
また、一度、責任者登録を済ませたＰＯＳ端末なら預／現計キーや替キー等の押下によって容易にドロワの開放ができるため、ドロワの開放操作方法を知っている者であれば誰でも操作が可能となってしまい、責任者登録された従業員以外の者の不正操作が可能となってしまう。
【０００５】
本発明の目的は、ＰＯＳ端末の操作前の責任者登録を不要としかつ操作責任者を正確に管理することのできる商品販売データ処理装置を提供することにある。
【０００６】
【課題を解決するための手段】
この発明は上記事情に鑑みてなされたもので、責任者の指紋データを予め記憶する責任者テーブルと指紋を検出する指紋読取センサと、前記指紋読取センサで検出された指紋データが前記責任者テーブルに存在するか否かを判断する判断手段と前記判断手段により検出されたデータが責任者テーブルに存在すると判断した場合にドロワを開放させる開放手段とを備えたことを特徴とする商品販売データ処理装置としたものである。
【０００７】
【発明の実施の形態】
以下、本発明の商品販売データ処理装置の第１の実施の形態を、図１ないし図５を用いて説明する。
図１示すように、複数のＰＯＳ端末１０Ａ〜１０Ｎは、ＬＡＮ回線等のデータ通信回線網１やＩＳＤＮ等２の通信回線によって同一店舗内または店舗外にある制御装置３０に接続されている。各ＰＯＳ端末１０Ａ〜１０Ｎは、全て同じように構成されているので、一つのＰＯＳ端末１０Ａを用いて説明する。このＰＯＳ端末１０Ａは、ＣＰＵ１１にＲＡＭ１２，ＲＯＭ１３，表示器１４，キーボード１５，プリンタ１６，ハードディスク装置（ＨＤＤ）１７，データ通信回線網用のインターフェイス（Ｉ／Ｆ）１８，ドロワ開放装置を含むドロワ１９および指紋読取装置２０がバスラインを介して接続されている。また、指紋読取センサ２０は図３に示すようにキーボード１５に内蔵されている。そして、このようなＰＯＳ端末では、責任者（キャッシャー）の操作によって、商品登録，会計処理等を実行することができる。
【０００８】
制御装置３０は、ＣＰＵ３１にＲＡＭ３２，ＲＯＭ３３，表示器３４，キーボード３５，プリンタ３６，ハードディスク装置（ＨＤＤ）３７，データ通信回線網用のインターフェイス（Ｉ／Ｆ）３８，および指紋読取センサ３９がバスラインを介して接続され、各ＰＯＳ端末１０の一括管理機能を持つ。
【０００９】
ＨＤＤ３７には、図示しない商品マスターファイル，売上マスターファイル等の他に、図２に示すような責任者テーブル４０が設けられている。これらのテーブルはいずれもＲＡＭ３２に展開して使用される。
【００１０】
制御装置３０の責任者テーブル４０は、図２に示すように、操作を許可する責任者の指紋情報等を記憶するためのテーブルで、責任者番号に対応して責任者の氏名、予め指紋読取センサ３９で読み取られた該当責任者の指紋データが記憶されている。指紋データとは、指紋読取センサ３９で読み取られたデータを数値化したものである。この実施の形態では、指紋データは数値化されたデータであるが、画像データなどであっても良い。
【００１１】
図３はＰＯＳ端末１０のキーボード１５の各種のキー配列を示す平面図である。キーボード１５には、複数の部門キー、レシート送りキー、クリアキー、テンキー、万券キー、小計キー等とともに、押下することによりドロワ１９を開放させることが可能な預／現計キー４５、替キー４７や入金キー４８が配列されている。これらのドロワ１９を開放させることが可能なキーには指紋読取センサ２０が内蔵されている。
【００１２】
次に、図４を用いてＰＯＳ端末１０の動作を説明する。この動作は、ＨＤＤ１７内に記憶したプログラムによって、ＣＰＵ１１が行う処理である。ＰＯＳ端末１０は、商品に付されたバーコードのスキャニングまたはキー操作によって商品登録を行い（ＳＴ１）、小計キー４６を押下する（ＳＴ２のＹＥＳ）と売上の小計金額を表示装置１４に表示する（ＳＴ３）。
【００１３】
次に、預かり金額をキーボードから入力して（ＳＴ４）、預／現計キー４５を押下されたか否かを判断する（ＳＴ５）。預／現計キー４５が押されなければＳＴ１の商品登録に戻り、預／現計キー４５が押されたならば、この預／現計キーの押下時に預／現計キー４５に内蔵された指紋読取センサ２０により、預／現計キー４５を押下した操作者の指紋データを読み込む（ＳＴ６）。
【００１４】
次に、このＰＯＳ端末１０は、制御装置３０にある責任者テーブル４０に読み込まれた指紋データが該当するか検索を行うために制御装置に該当する指紋データがあるか否かの問合せを行う（ＳＴ７）。なお、制御装置の処理については、後述する。そして、制御装置からの応答があるまで待ち（ＳＴ８）、応答があったならば、責任者が登録済か否かを判断する（ＳＴ９）。登録済みならばドロワ１９を開放し（ＳＴ１１）、顧客より受領した金銭を収納し、釣銭がある場合はドロワ１９より必要とする釣銭を引き出す。
【００１５】
こうして顧客とのやり取りが終了したならば、責任者によりドロワ１９が閉められる。また、読み込まれた指紋データが責任者テーブル４０に存在しなかった場合（ＳＴ９のＮＯ）は、責任者が登録されていない旨の報知をし、ＰＯＳ端末１０は連続して未登録の責任者データであった場合は、制御装置に警報を出すエラー処理（ＳＴ１０）を行い、再度、預／現計キー４５の押下を待つ。
【００１６】
次に図５を用いて、商品登録業務でなく預／現計キー４５の操作以外でドロワ１９を開放する業務について説明する。この動作は、ＨＤＤ１７内に記憶したプログラムによって、ＣＰＵ１１が行う処理である。まず、預／現計キー４５の操作以外でドロワ１９を開放する業務として、両替業務や入金業務等がある。責任者は、両替業務を行う場合は替キー４７、や入金業務を行う場合は入金キー４８を押下するので、これらのキーが押されたか否かを判断する（ＳＴ１２）。これらの替キー４７や入金キー４８が、ドロワを開放可能にしたキーである。
その他のキーが入力された場合（ＳＴ１２のＮＯ）は、入力されたキーに対応したその他の業務を行う（ＳＴ１３）。
【００１７】
次に、替キー４７または入金キー４８を押下されると、替キー４７または入金キー４８に内蔵された指紋読取センサ２０で替キー４７または入金キー４８を押下した操作者の指紋データを読み込む（ＳＴ１４）。
【００１８】
次に、商品登録業務と同じように前記検索の結果読み込まれた指紋データが責任者テーブル４０に登録されているか否かを制御装置に問い合わせる（ＳＴ１５）。制御装置からの応答を待って（ＳＴ１６）、存在したならばドロワ１９を開放する（ＳＴ１８）。
【００１９】
顧客とのやり取りが終了したならば、責任者によりドロワ１９が閉められ業務を終了する。また、読み込まれた指紋データが責任者テーブル４０に存在しなかった場合は、責任者が登録されていない旨の報知をし、ＰＯＳ端末１０は連続して未登録の責任者データであった場合は、制御装置に警報を出すエラー処理（ＳＴ１９）を行う。
【００２０】
次に、制御装置３０の動作を図６のフローチャートを用いて説明する。この処理は、ＨＤＤ３７内に記憶したプログラムによって、ＣＰＵ１１が行う処理である。この制御装置３０は、まずＰＯＳ端末１０から指紋データの照会か否かを判断し（ＳＴ２１）、指紋データの照会でなければ（ＳＴ２１のＮＯ）、その他の問合せ業務を行う（ＳＴ２２）。指紋データの照会であれば（ＳＴ２１のＹＥＳ）、ＰＯＳ端末１０から送られてきた指紋のデータが、責任者テーブル４０に格納されているか否かを検索し（ＳＴ２３）、該当する指紋データがないならば（ＳＴ２４のＮＯ）、ＰＯＳ端末１０から送られてきた指紋を持つ者は責任者登録されていない旨の返信をＰＯＳ端末１０へ返信する（ＳＴ２５）。また、ＳＴ２４で指紋データが登録されていると判断されれば、その責任者のデータをＰＯＳ端末１０へ返信して、この動作を終了する。
【００２１】
このように、ＰＯＳ端末１０は、商品に付されたバーコードのスキャニングまたはキー操作によって商品登録を行い、小計キー４６を押下すると売上の小計金額を表示装置１４に表示する。
【００２２】
次に、預かり金額をキーボードから入力して、預／現計キー４５が押されたならば、この預／現計キー４５に内蔵された指紋読取センサ２０により、預／現計キー４５を押下した操作者の指紋データを読み込む。
【００２３】
そして、このＰＯＳ端末１０は、制御装置３０にある責任者テーブル４０に読み込まれた指紋データが登録済みならばドロワ１９を開放する。
【００２４】
かくして、ＰＯＳ端末１０では、操作開始を宣言する責任者登録の操作を必要としないため、顧客を待たせることなくＰＯＳ端末１０の商品登録操作が可能となる。また預／現計キー４５を押下時に、指紋データの確認をおこなうので、許可された責任者のみが操作できるため不正操作処理ができなくなる。
【００２５】
本発明の第２の実施の形態を図７を用いて説明する。第１の実施の形態と同一部分は、詳細な説明を省略する。
【００２６】
第２の実施の形態では、制御装置３０の責任者テーブルと同じデータ構造の第２の責任者テーブル（図示せず）をＰＯＳ端末１０に持たせ、指紋データを確認時には、先ずＰＯＳ端末１０の第２の責任者テーブルを検索し、ＰＯＳ端末１０に該当する指紋データがなかった場合のみ制御装置３０へ問い合わせを可能とする点が第１の実施の形態と異なる点である。
【００２７】
まず、商品登録（ＳＴ３１）から指紋データの読み込み（ＳＴ３６）までは第１の実施の形態のＳＴ１からＳＴ６と同じであるので、説明は省略する。次に、読み込まれた指紋データがＰＯＳ端末１０にある第２の責任者テーブルに記憶したデータにあるか否か検索を行う（ＳＴ３７）。検索の結果、読み込まれた指紋データが第２の責任者テーブルに存在するか否かを判断する（ＳＴ３８）。存在したならばドロワ１９を開放し（ＳＴ４３）、顧客より受領した金銭を収納し、釣銭がある場合はドロワ１９より必要とする釣銭を引き出す。顧客とのやり取りが終了したならば責任者によりドロワ１９が閉められる。
【００２８】
指紋データがＰＯＳ端末１０の第２の責任者テーブルに存在しなかった場合は、制御装置３０の責任者テーブル４０に読み込まれた指紋データが登録されているか否かの問合せを行う（ＳＴ３９）。なお、制御装置側の動作は、第１の実施の形態と同じであるため、説明は省略する。そして、制御装置３０からの応答を待つ（ＳＴ７７）。
【００２９】
責任者が登録されているならば、該当する責任者データをＰＯＳ端末１０の第２の責任者テーブルに追加格納する（ＳＴ４２）。次に、ドロワ１９を開放し（ＳＴ４３）、顧客より受領した金銭を収納し、釣銭がある場合はドロワ１９より必要とする釣銭を引き出す。
【００３０】
こうして顧客とのやり取りが終了したならば、責任者によりドロワ１９を閉められ１取引を終了する。また、読み込まれた指紋データが制御装置３０の責任者テーブル４０に存在しなかった場合は、責任者が登録されていない旨の報知をするエラー処理（ＳＴ４４）を行い、再度、預／現計キー４５の押下を待つ。
【００３１】
かくして、ＰＯＳ端末１０の責任者テーブルを初めに検索することにより、制御装置３０の負担やトラフィックを減少させることができる。
【００３２】
なお、制御装置３０にある責任者テーブル４０を始業時に一括して各ＰＯＳ端末１０へ送信させることや、制御装置の機能を責任者テーブルを有するＰＯＳ端末に一体化して設け、このＰＯＳ端末１０にある指紋読取センサ２０を使用することにより責任者データの設定登録することも可能である。
【００３３】
【発明の効果】
以上説明したように、ＰＯＳ端末の操作開始を迅速にしかつ操作責任者を正確に管理することのできる。
【図面の簡単な説明】
【図１】本発明の第１の実施の形態を示すブロック図
【図２】同実施の形態の責任者テーブルを示す図
【図３】同実施の形態のキーボードを示す図
【図４】同実施の形態の登録業務フローチャート
【図５】同実施の形態のドロワ開放業務フローチャート
【図６】同実施の形態の制御装置が行う処理を示すフローチャート
【図７】本発明の第２の実施の形態の登録業務フローチャート
【符号の説明】
１  ＬＡＮ（データ通信回線網）
１０  ＰＯＳ端末
２０  指紋読取センサ
３０  制御装置
４０  責任者テーブル
【図１】
2004310452.tif 000003
【図２】
2004310452.tif 000004
【図３】
2004310452.tif 000005
【図４】
2004310452.tif 000006
【図５】
2004310452.tif 000007
【図６】
2004310452.tif 000008
【図７】
2004310452.tif 000009